(57)【特許請求の範囲】
【請求項１】
所定のデータ区分を単位とするインターリーブ処理が施された複数のデータセグメントにより構成され、複数チャンネルの情報信号をあらわす主情報データに附属情報データが付加されて成るディジタル情報データが記録された記録媒体から、上記ディジタル情報データを選択された再生モード状態のもとで読み取るヘッド部と、
該ヘッド部から得られる上記ディジタル情報データにおける主情報データに、上記インターリーブ処理が施された複数のデータセグメントについてのデインターリーブ処理及び所定のディジタル処理を施して、上記複数チャンネルの情報信号の夫々が適正な位相関係をもって再生されることになる第１の出力情報データを得る第１のデータ処理部と、
上記ヘッド部から得られる上記ディジタル情報データにおける主情報データに、上記インターリーブ処理が施された複数のデータセグメントについてのデインターリーブ処理及び所定のディジタル処理を施して、第２の出力情報データを得る第２のデータ処理部と、
上記第１の出力情報データと上記第２の出力情報データとを選択的に取り出すデータ選択部と、
上記ヘッド部による上記記録媒体からの上記ディジタル情報データの読出しが特定の再生モード状態のもとで開始されるとき、先ず上記データ選択部に上記第２の出力情報データを取り出す状態をとらせ、その後上記特定の再生モード状態の安定化が図られたとき、上記データ選択部を上記第１の出力情報データを取り出す状態に移行させる動作制御部と、
を備えて構成される情報処理装置。
【請求項２】
第１のデータ処理部が、ヘッド部から得られるディジタル情報データにおける主情報データに、インターリーブ処理が施された複数のデータセグメントについてのデインターリーブ処理を施して、複数チャンネルの情報信号の夫々を適正な位相関係をもってあらわすことになる第１の処理済情報データを得る第１のデインターリーブ処理部と、該第１のデインターリーブ処理部から得られる第１の処理済情報データに所定のディジタル処理を施して第１の出力情報データを得る第１のディジタル処理部とを含んで構成され、第２のデータ処理部が、上記ヘッド部から得られるディジタル情報データにおける主情報データに、インターリーブ処理が施された複数のデータセグメントについてのデインターリーブ処理を施して第２の処理済情報データを得る第２のデインターリーブ処理部と、該第２のデインターリーブ処理部から得られる第２の処理済情報データに所定のディジタル処理を施して第２の出力情報データを得る第２のディジタル処理部とを含んで構成されることを特徴とする請求項１記載の情報処理装置。
【請求項３】
ビデオ情報データと、所定のデータ区分を単位とするインターリーブ処理が施された複数のデータセグメントにより構成され、複数チャンネルのオーディオ信号をあらわすオーディオデータに附属データが付加されて成るオーディオ情報データと、が記録された記録媒体から、上記ビデオ情報データ及び上記オーディオ情報データを選択された再生モード状態のもとで読み取るヘッド部と、
該ヘッド部から得られる上記オーディオ情報データにおけるオーディオデータに、上記インターリーブ処理が施された複数のデータセグメントについてのデインターリーブ処理及び所定のディジタル処理を施して、上記複数チャンネルのオーディオ信号の夫々が適正な位相関係をもって再生されることになる第１の出力オーディオデータを得る第１のデータ処理部と、
上記ヘッド部から得られる上記オーデオ情報データにおけるオーディオデータに、上記インターリーブ処理が施された複数のデータセグメントについてのデインターリーブ処理及び所定のディジタルデータ処理を施して、第２の出力オーディオデータを得る第２のデータ処理部と、
上記第１の出力オーディオデータと上記第２の出力オーディオデータとを選択的に取り出すデータ選択部と、
上記ヘッド部による上記記録媒体からの上記ビデオ情報データ及び上記オーディオ情報データの読出しが、上記記録媒体から読み取られたビデオ情報データに基づいて静止画像が再生されることになるスティル再生モード状態から移行した該スティル再生モード状態とは異なる再生モード状態のもとで開始されるとき、先ず上記データ選択部に上記第２の出力オーディオデータを取り出す状態をとらせ、その後上記スティル再生モード状態とは異なる再生モード状態の安定化が図られたとき、上記データ選択部を上記第１の出力オーディオデータを取り出す状態に移行させる動作制御部と、
を備えて構成される情報処理装置。
【請求項４】
記録媒体が磁気テープとされるとともに、ヘッド部が該磁気テープからビデオ情報データとオーディオ情報データとを読み取る回転磁気ヘッド部とされることを特徴とする請求項３記載の情報処理装置。
【発明の詳細な説明】
【０００１】
【発明の属する技術分野】
本願の特許請求の範囲に記載された発明は、オーディオ情報データ等のディジタル情報データの記録がなされた記録媒体から、それに記録されたディジタル情報データを選択された再生モード状態のもとで読み取って、それがあらわす情報を再生する情報処理装置に関する。
【０００２】
【従来の技術】
テレビジョン信号等のビデオ信号とオーディオ信号とを含む複合信号をディジタルデータ化して、磁気テープ上に、その長手方向に対して傾斜する傾斜記録トラックを配列形成して記録し、また、ディジタルデータ化されたテレビジョン信号等のビデオ信号とオーディオ信号とを含む複合信号が、傾斜記録トラックを配列形成して記録された磁気テープから、ディジタルデータ化されたビデオ信号とオーディオ信号とを含む複合信号を読み取ってアナログ化し、再生ビデオ信号及び再生オーディオ信号を得る、所謂、ディジタルビデオテープレコーダ（ディジタルＶＴＲ）が、磁気テープを用いてのビデオ信号とオーディオ信号とを含む複合信号の記録及び再生を、複合信号の質の低下を実質的にもたらすことなく行えるものとして提案されている。斯かるディジタルＶＴＲについては、その例に関する記載を、例えば、日経ＢＰ社により発行された文献：『日経エレクトロニクス(NIKKEI ELECTRONICS)』, 10-11 1993 (No. 592), 第115 〜 122頁  にも見ることができる。
【０００３】
このようなディジタルＶＴＲの場合においても、例えば、複合信号に含まれるビデオ信号の各フレーム分に対応する信号区分（複合信号の１フレーム分）が記録区分とされるが、複合信号の１フレーム分とそれが記録される磁気テープにおける記録態様との関係は、その一例が図３に示される如くとされる。図３に示される例においては、複合信号の１フレーム分にアナログ／ディジタル変換（Ａ／Ｄ変換）が施されて得られる１フレーム分のディジタル複合データが、磁気テープＴＰに順次配列形成される傾斜記録トラックＴＫのうちの順次隣り合う１０本に振り分けられて記録される。斯かる記録は、１フレーム分のディジタル複合データが順次供給される回転磁気ヘッドが磁気テープＴＰを走査することによって行われ、図３における矢印ＤＹ及び矢印ＤＨは、夫々、磁気テープＴＰの走行方向及び磁気テープＴＰに対する回転磁気ヘッドの走査方向を示す。
【０００４】
磁気テープＴＰに配列形成される多数の傾斜記録トラックＴＫの各々には、その始端側から終端側に向けて、その傾斜記録トラックＴＫにおけるデータ構造をあらわし、また、データ編集等に際しての位置の基準となるデータが記録された領域ＩＴ，複合信号中のステレオ左信号とステレオ右信号との２チャンネルのオーディオ信号の内容をあらわすオーディオ情報データが記録された領域ＡＤ，複合信号中のビデオ信号の内容をあらわすビデオ情報データが記録された領域ＶＤ、及び、時間情報をあらわすタイムコードデータが記録された領域ＳＣが形成される。
【０００５】
１本の傾斜記録トラックＴＫにおける領域ＡＤに記録されるオーディオ情報データは、例えば、データ同期ブロック部を主要部分とし、そのデータ同期ブロック部の前後に夫々プリアンブル部及びポストアンブル部が配されて構成され、主要部分を成すデータ同期ブロック部は、例えば、図４に示される如くのコーディング・フォーマットに従うものとされる。このコーディング・フォーマットにあっては、同期ブロック番号ｉが２〜１５とされる１４個のデータ同期ブロックを含み、各データ同期ブロックは、バイトポジション番号ｊが０〜８９とされる９０バイトをもって形成されている。
【０００６】
同期ブロック番号ｉが２〜１０である９個のデータ同期ブロックの各々は、最初の２バイト（バイトポジション番号ｊが０及び１）が同期データとされて、その次の３バイト（バイトポジション番号ｊが２〜４）がＩＤコードとされ、さらに次の５バイト（バイトポジション番号ｊが５〜９）がオーディオ補助データとされて、それに続く７２バイト（バイトポジション番号ｊが１０〜８１）が主情報データである、ステレオ左信号とステレオ右信号との２チャンネンルのオーディオ信号のうちのいずれかに基づくオーディオデータとされ、そのオーディオデータに８バイト（バイトポジション番号ｊが８２〜８９）のインナーパリティが付加されて構成されている。ＩＤコードは、相互隣接する２本の傾斜記録トラックについての番号に対応するトラックペア情報，各傾斜記録トラックに関わる回転磁気ヘッドについてのヘッドアジマスに関するヘッドアジマス情報，同期ブロック番号ｉに関する情報等を提供し、また、オーディオ補助データは、構成ビット数等を含むオーディオデータの記録条件に関する情報を提供する。これらのＩＤコード及びオーディオ補助データは、同期データを含めて、主情報データであるオーディオデータに付加された付属情報データとされている。
【０００７】
同期ブロック番号ｉが２〜１０である９個のデータ同期ブロックの各々におけるオーディオデータ（同期ブロック番号ｉが２〜１０であるオーディオデータ）は、図５において同期ブロック番号ｉが２及び３であるものが例示される如く、各々が２バイト構成とされる３６個のデータセグメントを含むものとされる。これらのデータセグメントは、本来、図４に示される如くに、同期ブロック番号ｉが２であるデータ同期ブロックにおける最初のものから、同期ブロック番号ｉが１０であるデータ同期ブロックにおける最後のものまで、例えば、Ｄ０〜Ｄ３２３の連続したセグメント番号をもってあらわれる。
【０００８】
しかしながら、実際に各傾斜記録トラックＴＫにおける領域ＡＤに記録されるオーディオ情報データにあっては、例えば、１０本の傾斜記録トラックＴＫに分散されて記録される１フレーム分のディジタル複合データに含まれるオーディオ情報データ（１フレーム分のオーディオ情報データ）全体におけるオーディオデータを単位とした、符号エラーの低減のための、多数のデータセグメントについてのインターリーブ処理が施される。従って、１本の傾斜記録トラックＴＫにおける領域ＡＤに記録されるオーディオ情報データに含まれるオーディオデータにあっては、同期ブロック番号ｉが２〜１０であるオーディオデータの各々を構成する３６個のデータセグメントが、それらのセグメント番号を、順番通りのものでなく、インターリーブ処理に応じた配列がなされたものとすることになる。
【０００９】
また、同期ブロック番号ｉが１１〜１５である５個のデータ同期ブロックの各々は、最初の２バイト（バイトポジション番号ｊが０及び１）が同期データとされて、その次の３バイト（バイトポジション番号ｊが２〜４）がＩＤコードとされ、それに続く７７バイト（バイトポジション番号ｊが５〜８１）がアウターパリティとされ、そのアウターパリティに８バイト（バイトポジション番号ｊが８２〜８９）のインナーパリティが付加されて構成されている。従って、オーディオデータは、同期ブロック番号ｉが２〜１０であり、かつ、バイトポジション番号ｊが１０〜８１である、図４において斜線が付されて示される範囲内に存在している。
【００１０】
このようなもとで、ディジタルＶＴＲにより、上述の如くの磁気テープＴＰに多数配列形成される傾斜記録トラックＴＫの夫々から、回転磁気ヘッドにより、その領域ＡＤに記録されたオーディオ情報データを含むディジタル複合データを読み取って、そのディジタル複合データに基づく再生ビデオ信号及び２チャンネルの再生オーディオ信号を得る際において、２チャンネルのオーディオ信号の再生にあたっては、オーディオ情報データに符号エラー訂正処理を施すことに加えて、オーディオ情報データに含まれる２チャンネルのオーディオ信号に基づくオーディオデータを構成する、インターリーブ処理が施された多数のデータセグメントについてのデインターリーブ処理を行うことが必要とされる。
【００１１】
各傾斜記録トラックＴＫにおける領域ＡＤに記録されるオーディオ情報データに含まれる２チャンネルのオーディオ信号に基づくオーディオデータについてのインターリーブ処理は、例えば、１０本の傾斜記録トラックＴＫに分散されて記録される１フレーム分のオーディオ情報データ全体におけるオーディオデータを単位として施される。従って、２チャンネルのオーディオ信号に基づくオーディオデータを構成するインターリーブ処理が施された多数のデータセグメントについてのデインターリーブ処理も、例えば、１０本の傾斜記録トラックＴＫから読み取られた１フレーム分のオーディオ情報データにおけるオーディオデータを単位として行われる。
【００１２】
斯かるオーディオデータを構成するインターリーブ処理が施された多数のデータセグメントについてのデインターリーブ処理にあっては、例えば、特開平９−２８２８０４号に開示されているディジタルデータ処理装置によれば、オーディオデータが格納されるデータメモリ手段が用意され、そのデータメモリ手段におけるオーディオデータについての書込アドレスが制御されて、１フレーム分のオーディオデータが、それを構成するインターリーブ処理が施された複数のデータセグメントについてのデインターリーブ処理が行われた状態で、データメモリ手段に格納されるものとされ、その後、データメモリ手段におけるオーディオデータについての読出アドレスが制御されて、データメモリ手段から、それに格納された１フレーム分のオーディオデータが、複数のデータセグメントについてのデインターリーブ処理が施されてた状態で読み出されるようにされる。
【００１３】
このようなデインターリーブ処理に際しては、各傾斜記録トラックＴＫについての１フレーム分のオーディオ情報データが読み出される１０本の傾斜記録トラックＴＫ中における番号であるトラック番号の検出等が行われ、さらに、磁気テープＴＰにおける傾斜記録トラックＴＫから読み出されるオーディオ情報データに基づいてバイトポジション番号により順序があらわされるバイトデータについてのカウント，同期ブロック番号の検出等が行われる。そして、バイトデータについてのカウント結果，検出された同期ブロック番号，検出されたトラック番号等が、データメモリ手段におけるオーディオデータについての書込アドレスを制御する書込アドレス制御信号の形成に供される。
【００１４】
【発明が解決しようとする課題】
上述の如くにして、ディジタルＶＴＲにおいて、回転磁気ヘッドにより磁気テープＴＰに多数配列形成された傾斜記録トラックＴＫからディジタル複合データが読み取られる動作は、いくつかの異なった再生モード状態のうちから選択された再生モード状態のもとで行われる。そして、このような再生モード状態として、磁気テープＴＰの走行速度が記録時における磁気テープＴＰの走行速度と同一とされるノーマル再生モード状態，磁気テープＴＰの走行速度が記録時における磁気テープＴＰの走行速度より遅くされる変速再生モード状態（ＪＯＧ再生モード状態）、例えば、磁気テープＴＰの走行速度が記録時における磁気テープＴＰの走行速度の１／１０とされる１／１０倍速再生モード状態，磁気テープＴＰから同一の１フレーム分のディジタル複合データが繰り返して読み取られるスティル再生モード状態等が用意されるのが一般的である。
【００１５】
スティル再生モード状態のもとで、回転磁気ヘッドにより磁気テープＴＰに多数配列形成された傾斜記録トラックＴＫからディジタル複合データが読み取られる場合には、磁気テープＴＰから同一の１フレーム分のディジタル複合データが繰り返して読み取られて、その読み取られる１フレーム分のディジタル複合データに含まれるビデオ情報データ（１フレーム分のビデオ情報データ）及び１フレーム分のオーディオ情報データの夫々が繰り返して得られることになる。そして、繰り返して得られる１フレーム分のビデオ情報データに基づく再生ビデオ信号による画像再生が行われることにより、静止画像が得られることになるが、このとき、繰り返して得られる１フレーム分のオーディオ情報データに基づく再生オーディオ信号による音声再生が行われると、同じ音声が繰り返して発せられることになると言う不都合が生じてしまう。
【００１６】
そこで、スティル再生モード状態のもとで、回転磁気ヘッドにより磁気テープＴＰに多数配列形成された傾斜記録トラックＴＫからディジタル複合データが読み取られるときには、音声再生がなされないように、例えば、回転磁気ヘッドにより磁気テープから読み取られたディジタル複合データに基づいて得られるオーディオ情報データに含まれる２チャンネルのオーディオ信号に基づくオーディオデータにデインターリーブ処理を施すデインターリーブ処理部が、非作動状態におかれて、再生オーディオ信号が得られないようにされている。
【００１７】
しかしながら、このように、スティル再生モード状態のもとで、回転磁気ヘッドにより磁気テープＴＰに多数配列形成された傾斜記録トラックＴＫからディジタル複合データが読み取られるときには、オーディオ情報データに含まれる２チャンネルのオーディオ信号に基づくオーディオデータにデインターリーブ処理を施すデインターリーブ処理部が非作動状態におかれるようにされると、スティル再生モード状態のもとで、回転磁気ヘッドにより磁気テープＴＰに多数配列形成された傾斜記録トラックＴＫからディジタル複合データが読み取られる第１の状態から、スティル再生モード状態以外の再生モード状態、例えば、ノーマル再生モード状態もしくはＪＯＧ再生モード状態のもとで、回転磁気ヘッドにより磁気テープＴＰに多数配列形成された傾斜記録トラックＴＫからディジタル複合データが読み取られる第２の状態に移行するとき、第２の状態の当初における所定の期間にあっては、行われるべき音声再生が行われないことになるという問題がある。
【００１８】
即ち、上述の第１の状態から第２の状態への移行が生じると、磁気テープＴＰを、例えば、ノーマル再生モード状態もしくはＪＯＧ再生モード状態に対応する走行速度をもって走行させるためのテープ駆動動作が開始され、ノーマル再生モード状態もしくはＪＯＧ再生モード状態が安定化されるまでに所定の時間が要されることになる。また、それまで非作動状態にあったデインターリーブ処理部が動作状態とされ、その後、デインターリーブ処理部による、回転磁気ヘッドにより磁気テープから読み取られたディジタル複合データに基づいて得られるオーディオ情報データにおける２チャンネルのオーディオ信号に基づくオーディオデータに、デインターリーブ処理を施すための動作が開始されるが、例えば、ノーマル再生モード状態もしくはＪＯＧ再生モード状態が安定化されるまでの期間においては、デインターリーブ処理部によるデインターリーブ処理が施されたオーディオデータが、２チャンネルのオーディオ信号を適正な位相関係をもってあらわすものとされず、その結果、適正な位相関係を有したステレオ左信号とステレオ右信号との２チャンネルの再生オーディオ信号が得られないのである。
【００１９】
そして、デインターリーブ処理部によるデインターリーブ処理が施されたオーディオデータが、２チャンネルのオーディオ信号を適正な位相関係をもってあらわすものとされず、適正な位相関係を有したステレオ左信号とステレオ右信号との２チャンネルの再生オーディオ信号が得られないことになるもとにあっては、斯かる再生オーディオ信号による不所望な音声再生がなされないように、デインターリーブ処理部によるデインターリーブ処理が施されたオーディオデータ、もしくは、それに基づく再生オーディオ信号に対するミューティング状態がとられることになる。その結果、上述の第１の状態から第２の状態への移行が生じた直後において、ミューティング状態がとられることによる比較的長い無音期間が生じることになってしまう。
【００２０】
斯かる点に鑑み、本願の特許請求の範囲に記載された発明は、例えば、インターリーブ処理が施された複数チャンネルのオーディオ信号をあらわすオーディオデータを含んで成るオーディオ情報データの如くの、インターリーブ処理が施された複数チャンネルの情報信号をあらわす情報データを含んで成るディジタル情報データの記録がなされた記録媒体から、それに記録されたディジタル情報データの読取りを行い、インターリーブ処理が施された情報データにデインターリーブ処理を施して、デインターリーブ処理が施された情報データに基づく複数チャンネルの情報信号をあらわす出力情報データを得るにあたり、第１及び第２のデータ処理部が正規に作動していない状態から、特定の再生モード状態のもとでヘッド部による記録媒体からのディジタル情報データの読出しが行われ、第１及び第２のデータ処理部が正規に作動する状態に移行する場合においても、移行後、出力情報データもしくはそれに基づく再生情報信号に対するミューティング状態がとられることなく、直ちに、デインターリーブ処理が施された情報データに基づく複数チャンネルの情報信号をあらわす出力情報データが得られることになる情報処理装置を提案する。
【００２１】
【課題を解決するための手段】
本願の特許請求の範囲における請求項１または請求項２に記載された発明に係る情報処理装置は、所定のデータ区分を単位とするインターリーブ処理が施された複数のデータセグメントにより構成され、複数チャンネルの情報信号をあらわす主情報データに附属情報データが付加されて成るディジタル情報データが記録された記録媒体から、そのディジタル情報データを選択された再生モード状態のもとで読み取るヘッド部と、ヘッド部から得られるディジタル情報データにおける主情報データに、インターリーブ処理が施された複数のデータセグメントについてのデインターリーブ処理及び所定のディジタル処理を施して、複数チャンネルの情報信号の夫々が適正な位相関係をもって再生されることになる第１の出力情報データを得る第１のデータ処理部と、ヘッド部から得られるディジタル情報データにおける主情報データに、インターリーブ処理が施された複数のデータセグメントについてのデインターリーブ処理及び所定のディジタル処理を施して、第２の出力情報データを得る第２のデータ処理部と、第１の出力情報データと第２の出力情報データとを選択的に取り出すデータ選択部と、データ選択部に対する動作制御部とを備え、動作制御部が、ヘッド部による記録媒体からのディジタル情報データの読出しが特定の再生モード状態のもとで開始されるとき、先ずデータ選択部に第２の出力情報データを取り出す状態をとらせ、その後特定の再生モード状態の安定化が図られたとき、データ選択部を第１の出力情報データを取り出す状態に移行させるものとされて、構成される。
【００２２】
また、本願の特許請求の範囲における請求項３または請求項４に記載された発明に係る情報処理装置は、ビデオ情報データと、所定のデータ区分を単位とするインターリーブ処理が施された複数のデータセグメントにより構成され、複数チャンネルのオーディオ信号をあらわすオーディオデータに附属データが付加されて成るオーディオ情報データと、が記録された記録媒体から、ビデオ情報データ及びオーディオ情報データを選択された再生モード状態のもとで読み取るヘッド部と、ヘッド部から得られるオーディオ情報データにおけるオーディオデータに、インターリーブ処理が施された複数のデータセグメントについてのデインターリーブ処理及び所定のディジタル処理を施して、複数チャンネルのオーディオ信号の夫々が適正な位相関係をもって再生されることになる第１の出力オーディオデータを得る第１のデータ処理部と、ヘッド部から得られるオーデオ情報データにおけるオーディオデータに、インターリーブ処理が施された複数のデータセグメントについてのデインターリーブ処理及び所定のディジタルデータ処理を施して、第２の出力オーディオデータを得る第２のデータ処理部と、第１の出力オーディオデータと第２の出力オーディオデータとを選択的に取り出すデータ選択部と、データ選択部に対する動作制御部とを備え、動作制御部が、ヘッド部による記録媒体からのビデオ情報データ及びオーディオ情報データの読出しが、記録媒体から読み取られたビデオ情報データに基づいて静止画像が再生されることになるスティル再生モード状態から移行したスティル再生モード状態とは異なる再生モード状態のもとで開始されるとき、先ずデータ選択部に第２の出力オーディオデータを取り出す状態をとらせ、その後スティル再生モード状態とは異なる再生モード状態の安定化が図られたとき、データ選択部を第１の出力オーディオデータを取り出す状態に移行させるものとされて、構成される。
【００２３】
上述の如くに構成される本願の特許請求の範囲における請求項１または請求項２に記載された発明に係る情報処理装置にあっては、ヘッド部による記録媒体からのディジタル情報データの読出しが特定の再生モード状態のもとで開始されるとき、動作制御部により、先ず、データ選択部により、第２のデータ処理部において、ヘッド部から得られるディジタル情報データにおける主情報データに、インターリーブ処理が施された複数のデータセグメントについてのデインターリーブ処理及び所定のディジタル処理が施されて得られる、第２の出力情報データが取り出される状態とされ、その後、特定の再生モード状態の安定化が図られたとき、データ選択部が、ヘッド部から得られるディジタル情報データにおける主情報データに、インターリーブ処理が施された複数のデータセグメントについてのデインターリーブ処理及び所定のディジタル処理が施されて、複数チャンネルの情報信号の夫々が適正な位相関係をもって再生されることになるものとして得られる、第１のデータ処理部からの第１の出力情報データを取り出す状態に切り換えられる。
【００２４】
従って、例えば、第１及び第２のデータ処理部が正規に作動していない状態から、特定の再生モード状態のもとでヘッド部による記録媒体からのディジタル情報データの読出しが行われ、第１及び第２のデータ処理部が正規に作動する状態に移行する場合においても、移行後、第１のデータ処理部からの複数チャンネルの情報信号の夫々が適正な位相関係をもって再生されることになる第１の出力情報データが得られるまでの間、第２のデータ処理部からの第２の出力情報データが得られることになり、それゆえ、出力情報データもしくはそれに基づく再生情報信号に対するミューティング状態がとられることなく、直ちに、デインターリーブ処理が施された情報データに基づく複数チャンネルの情報信号をあらわす出力情報データが得られることになる。
【００２５】
また、本願の特許請求の範囲における請求項３または請求項４に記載された発明に係る情報処理装置にあっては、ヘッド部による記録媒体からのビデオ情報データ及びオーディオ情報データの読出しが、スティル再生モード状態から移行したスティル再生モード状態とは異なる再生モード状態、例えば、ノーマル再生モード状態もしくはＪＯＧ再生モード状態のもとで開始されるとき、動作制御部により、先ず、データ選択部により、第２のデータ処理部において、ヘッド部から得られるオーディオ情報データにおけるオーディオデータに、インターリーブ処理が施された複数のデータセグメントについてのデインターリーブ処理及び所定のディジタル処理が施されて得られる、第２の出力オーディオデータが取り出される状態とされ、その後、スティル再生モード状態とは異なる再生モード状態、例えば、ノーマル再生モード状態もしくはＪＯＧ再生モード状態の安定化が図られたとき、データ選択部が、ヘッド部から得られるオーディオ情報データにおけるオーディオデータに、インターリーブ処理が施された複数のデータセグメントについてのデインターリーブ処理及び所定のディジタル処理が施されて、複数チャンネルのオーディオ信号の夫々が適正な位相関係をもって再生されることになるものとして得られる、第１のデータ処理部からの第１の出力オーディオデータを取り出す状態に切り換えられる。
【００２６】
従って、例えば、スティル再生モード状態のもとでヘッド部による記録媒体からのビデオ情報データ及びオーディオ情報データの読出しが行われ、第１及び第２のデータ処理部が正規に作動していない状態から、スティル再生モード状態とは異なる再生モード状態、例えば、ノーマル再生モード状態もしくはＪＯＧ再生モード状態のもとでヘッド部による記録媒体からのビデオ情報データ及びオーディオ情報データの読出しが行われて、第１及び第２のデータ処理部が正規に作動する状態に移行する場合においても、移行後、第１のデータ処理部からの複数チャンネルのオーディオ信号の夫々が適正な位相関係をもって再生されることになる第１の出力オーディオデータが得られるまでの間、第２のデータ処理部からの第２の出力オーディオデータが得られることになり、それゆえ、出力オーディオデータもしくはそれに基づく複数チャンネルの再生オーディオ信号に対するミューティング状態がとられることなく、直ちに、デインターリーブ処理が施されたオーディオデータに基づく複数チャンネルのオーディオ信号をあらわす出力オーディオデータが得られることになる。
【００２７】
【発明の実施の形態】
図１は、ディジタルＶＴＲの要部を構成するものとされた本願の特許請求の範囲における請求項１から請求項４までのいずれかに記載された発明に係る情報処理装置の一例を示す。この図１に示される例により構成される要部を有したディジタルＶＴＲは、ビデオ信号に応じたビデオ情報データと、例えば、ステレオ左信号とステレオ右信号との２チャンネルのオーディオ信号に応じたオーディオ情報データと、を含むディジタル複合データが記録された記録媒体から、そのディジタル複合データを読み取り、読み取られたディジタル複合データに含まれるビデオ情報データとオーディオ情報データとに基づいて、ビデオ信号とステレオ左信号とステレオ右信号とされる２チャンネルのオーディオ信号とを再生する動作を行うものとされ、図３に示される如くにして傾斜記録トラックＴＫが配列形成された磁気テープＴＰと共に用いられる。
【００２８】
図１に示される例にあっては、磁気テープ駆動部２０と読取用回転磁気ヘッド部２１とが設けられている。磁気テープ駆動部２０は、例えば、マイクロコンピュータが用いられて形成される動作制御部１０からの駆動制御信号ＤＴＰに応じて作動して、図３に示される如くにして傾斜記録トラックＴＫが配列形成された磁気テープＴＰを、駆動制御信号ＤＴＰにより指示される走行速度をもって走行させるべく駆動する。また、読取用回転磁気ヘッド部２１は、動作制御部１０からの駆動制御信号ＤＨＤに応じて作動して、それに備えられた読取用回転磁気ヘッドを回転駆動し、回転する読取用回転磁気ヘッドによって磁気テープＴＰを走査する。
【００２９】
読取用回転磁気ヘッド部２１には、例えば、４個の読取用回転磁気ヘッドが備えられている。そして、これら４個の読取用回転磁気ヘッドは、図２において、符号２１ａ，２１ｂ，２１ｃ及び２１ｄが付されて示される如く、磁気テープＴＰに配列形成された多数の傾斜記録トラックＴＫのうちの順次隣接する４本を、夫々走査するものとされ、それら４本の傾斜記録トラックＴＫに記録されたディジタル複合データを読み取る。図２における矢印ＤＨは、傾斜記録トラックＴＫに対する読取用回転磁気ヘッド２１ａ，２１ｂ，２１ｃ及び２１ｄの夫々の走査方向を示す。
【００３０】
読取用回転磁気ヘッド２１ａ〜２１ｄの各々は、それがディジタル複合データの読取りを行う傾斜記録トラックＴＫにおける記録時の回転磁気ヘッドのヘッドアジマスに対応するヘッドアジマスを有しており、斯かるヘッドアジマスが、各傾斜記録トラックＴＫに関わる回転磁気ヘッドについてのヘッドアジマスとされる。そして、読取用回転磁気ヘッド２１ａ〜２１ｄは、相互隣接する２本の傾斜記録トラックＴＫから夫々ディジタル複合データを読み取る２個、即ち、読取用回転磁気ヘッド２１ａと読取用回転磁気ヘッド２１ｂ，読取用回転磁気ヘッド２１ｂと読取用回転磁気ヘッド２１ｃ，読取用回転磁気ヘッド２１ｃと読取用回転磁気ヘッド２１ｄとが、互いに異なるヘッドアジマスを有するようにされている。
【００３１】
読取用回転磁気ヘッド部２１からは、読取用回転磁気ヘッド２１ａ〜２１ｄの夫々によって磁気テープＴＰにおける傾斜記録トラックＴＫから読み取られたディジタル複合データＤＴが得られる。このディジタル複合データＤＴは、ビデオ信号に応じたビデオ情報データ，２チャンネルのオーディオ信号に応じたオーディオ情報データ及び他のデータを含んでいる。そして、オーディオ情報データには、図４に示される如くのコーディング・フォーマットに従うものとされた、主情報データである２チャンネルのオーディオ信号の内容をあらわすオーディオデータ，そのオーディオデータに付加された付属情報データとされる同期データ，ＩＤコード及びオーディオ補助データ、さらには、その他のデータが含まれており、オーディオデータは、１フレーム分を単位としてのインターリーブ処理が施された多数のデータセグメントの配列により構成されている。
【００３２】
読取用回転磁気ヘッド部２１から得られるディジタル複合データＤＴは、再生増幅部２２により増幅され、イコライザ部２３を通じて、データ並換部２４に供給される。データ並換部２４においては、ディジタル複合データＤＴが、磁気テープＴＰ上の順次隣接する１０本の傾斜記録トラックＴＫに分散して記録された１フレーム分のビデオ情報データ及びそれに付随する１フレーム分のオーディオ情報データをあらわすディジタルデータＤＦを順次形成すべく並べ換えられる。データ並換部２４から得られるディジタルデータＤＦは、コーディング部２５に供給され、１チャンネルの独立したデータを形成するため必要とされるコーディングが施されて、コーディッドディジタルデータＤＣとされ、それがエラー訂正・時間軸補正部２６に供給される。
【００３３】
エラー訂正・時間軸補正部２６においては、コーディッドディジタルデータＤＣに含まれるビデオ情報データ及びオーディオ情報データの各々についての、それが有するインナーパリティ及びアウタパリティにより検出された符号エラーについてのエラー訂正処理及び時間軸補正が行われるとともに、ビデオ情報データとオーディオ情報データとの分離が行われる。そして、エラー訂正・時間軸補正部２６から、エラー訂正処理及び時間軸補正が行われたビデオ情報データＤＶが導出されるとともに、エラー訂正処理が行われたオーディオ情報データＤＡが導出される。
【００３４】
エラー訂正・時間軸補正部２６から得られるビデオ情報データＤＶは、図１においては図示が省略されたビデオ情報データ処理部に供給されて、それに基づく再生ビデオ信号が形成される。一方、エラー訂正・時間軸補正部２６から得られるオーディオ情報データＤＡは、主デインターリーブ処理部２７と副デインターリーブ処理部２８とに供給され、さらに、動作制御部１０にも供給される。
【００３５】
主デインターリーブ処理部２７にあっては、エラー訂正・時間軸補正部２６から得られるオーディオ情報データＤＡが、例えば、ランダムアクセスメモリ（ＲＡＭ）により形成されるデータメモリ部３０に供給されるとともに、バイトカウント部３１，同期ブロック番号検出部３２及びトラック番号検出部３３の夫々に供給される。
【００３６】
データメモリ部３０には、動作制御部１０からのライト・イネーブル信号ＣＥＮが供給される。データメモリ部３０は、例えば、ライト・イネーブル信号ＣＥＮが低レベルをとるとき、データの書込みが可能とされ、ライト・イネーブル信号ＣＥＮが高レベルをとるときには、データの書込みが不可とされる。
【００３７】
バイトカウント部３１においては、オーディオ情報データＤＡにおける同期ブロック番号ｉ及びバイトポジション番号ｊにより順位があらわされる各バイトデータについてのカウントが行われる。バイトデータは、オーディオ情報データＤＡにおけるオーディオデータに含まれるものにあっては、２個のバイトポジション番号ｊによりあらわされる２バイト分によって、オーディオデータを構成する多数のデータセグメントの夫々を形成している。従って、例えば、各データ同期ブロック内におけるバイトデータについてのカウント値は、オーディオデータを構成する多数のデータセグメントの各々の配列位置をあらわすことになる。そして、バイトカウント部３１からは、バイトデータについてのカウント結果をあらわすバイトカウント出力信号ＳＢＣが得られる。
【００３８】
また、同期ブロック番号検出部３２においては、オーディオ情報データＤＡにおけるＩＤコードがあらわす同期ブロック番号ｉが検出され、検出された同期ブロック番号ｉをあらわす同期ブロック番号検出出力信号ＳＳＤが得られる。
【００３９】
さらに、トラック番号検出部３３においては、オーディオ情報データＤＡにおけるＩＤコードに含まれたトラックペア情報があらわすトラックペア番号及びオーディオ情報データＤＡにおけるＩＤコードに含まれたヘッドアジマス情報があらわすヘッドアジマスが得られ、さらに、得られたトラックペア番号とヘッドアジマスとに基づいて、主デインターリーブ処理部２７に供給されたオーディオ情報データＤＡの読出しがなされた傾斜記録トラックＴＫについての、それを含む傾斜記録トラックＴＫの１フレーム分内における番号であるトラック番号が検出され、検出されたトラック番号をあらわすトラック番号検出出力信号ＳＤＴが得られる。
【００４０】
トラックペア情報があらわすトラックペア番号は、主デインターリーブ処理部２７に供給されるオーディオ情報データＤＡが読み出された傾斜記録トラックＴＫを含む磁気テープＴＰ上の相互隣接する２本の傾斜記録トラックＴＫについての、それらを含む傾斜記録トラックＴＫの１フレーム分内における番号である。また、ヘッドアジマス情報があらわすヘッドアジマスは、主デインターリーブ処理部２７に供給されるオーディオ情報データＤＡが読み出された傾斜記録トラックＴＫに関わる回転磁気ヘッドについてのヘッドアジマスである。
【００４１】
このようにして、バイトカウント部３１から得られるバイトカウント出力信号ＳＢＣ，同期ブロック番号検出部３２から得られる同期ブロック番号検出出力信号ＳＳＤ、及び、トラック番号検出部３３から得られるトラック番号検出出力信号ＳＤＴは、書込アドレス信号形成部３４に供給される。書込アドレス信号形成部３４においては、バイトカウント出力信号ＳＢＣがあらわすバイトデータについてのカウント結果，同期ブロック番号検出出力信号ＳＳＤがあらわす同期ブロック番号、及び、トラック番号検出出力信号ＳＤＴがあらわすトラック番号に基づき、オーディオ情報データＤＡにおけるオーディオデータを構成するインターリーブが施された複数のデータセグメントの夫々についての、デインターリーブ処理が施されたときにとるべき配列位置が算出される。そして、書込アドレス信号形成部３４にあっては、さらに、算出された配列位置に応じたものとされる書込アドレス制御信号ＣＷが形成され、その書込アドレス制御信号ＣＷが、データメモリ部３０に供給される。
【００４２】
それにより、データメモリ部３０にあっては、ライト・イネーブル信号ＣＥＮが低レベルをとるもとにおいて、エラー訂正・時間軸補正部２６から供給されるオーディオ情報データＤＡにおけるオーディオデータを構成する、１フレーム分を単位としてのインターリーブが施された複数のデータセグメントが、書込アドレス制御信号ＣＷに従った書込アドレス制御が行われて書き込まれる。その結果、オーディオ情報データＤＡにおける主情報データであるオーディオデータが、それを構成するインターリーブ処理が施された複数のデータセグメントについてのデインターリーブ処理が行われた状態とされて、データメモリ部３０に格納されることになる。そして、データメモリ部３０に書込アドレス制御信号ＣＷを供給する書込アドレス信号形成部３４は、データメモリ部３０に対する書込制御部を形成しているのである。
【００４３】
斯かる際、バイトカウント出力信号ＳＢＣ，同期ブロック番号検出出力信号ＳＳＤ及びトラック番号検出出力信号ＳＤＴは、主デインターリーブ処理部２７に供給されるオーディオ情報データＤＡが、ディジタルＶＴＲの要部を構成する図１に示される例が、磁気テープＴＰの走行速度が記録時における磁気テープＴＰの走行速度と同一とされるノーマル再生モード状態におかれたもとで得られる場合、及び、磁気テープＴＰの走行速度が記録時における磁気テープＴＰの走行速度より遅くされるＪＯＧ再生モード状態、例えば、１／１０倍速再生モード状態におかれたもとで得られる場合のいずれにおいても、夫々、バイトカウント部３１，同期ブロック番号検出部３２、及び、トラック番号検出部３３から適正に得られる。それゆえ、書込アドレス制御信号ＣＷの形成に際して、バイトカウント出力信号ＳＢＣがあらわすバイトデータについてのカウント結果，同期ブロック番号検出出力信号ＳＳＤがあらわす同期ブロック番号、及び、トラック番号検出出力信号ＳＤＴがあらわすトラック番号に基づいて行われる、オーディオ情報データＤＡにおけるオーディオデータを構成するインターリーブが施された複数のデータセグメントの夫々についての、デインターリーブ処理が施されたときにとるべき配列位置の算出は、主デインターリーブ処理部２７に供給されるオーディオ情報データＤＡが、ディジタルＶＴＲの要部を構成する図１に示される例がノーマル再生動作モード状態におかれたもとで得られる場合及びＪＯＧ再生モード状態におかれたもとで得られる場合のいずれにあっても、適正に遂行されることになる。
【００４４】
そして、主デインターリーブ処理部２７においては、動作制御部１０からのクロック信号ＣＰがクロックカウント部３５及びクロックカウント部３６の夫々に供給される。クロックカウント部３５及びクロックカウント部３６には、動作制御部１０からの第１のフレームパルス信号ＣＦＰＬ及び第２のフレームパルス信号ＣＦＰＲが夫々供給される。第１及び第２のフレームパルス信号ＣＦＰＬ及びＣＦＰＲは、エラー訂正・時間軸補正部２６から得られるオーディオ情報データＤＡにおけるオーディオデータがあらわす２チャンネルのオーディオ信号、即ち、ステレオ左信号とステレオ右信号との適正な位相を保証するものとして、動作制御部１０から得られる。
【００４５】
そして、クロックカウント部３５においては、動作制御部１０から第１のフレームパルス信号ＣＦＰＬが供給されるときのみ、その第１のフレームパルス信号ＣＦＰＬに同期してクロック信号ＣＰについてのカウントが行われ、そのカウント結果をあらわすカウント出力データＤＣＬＭが得られる。カウント出力データＤＣＬＭは読出アドレス信号形成部３７に供給され、読出アドレス信号形成部３７において、データメモリ部３０に格納されたオーディオデータを構成する多数のデータセグメントのうちのステレオ左信号をあらわすものを、カウント出力データＤＣＬＭに応じて、データメモリ部３０におけるアドレス順に順次読み出すための、読出アドレス制御信号ＣＲＬＭが形成されて、それがデータメモリ部３０に供給される。
【００４６】
また、クロックカウント部３６においては、動作制御部１０から第２のフレームパルス信号ＣＦＰＲが供給されるときのみ、その第２のフレームパルス信号ＣＦＰＲに同期してクロック信号ＣＰについてのカウントが行われ、そのカウント結果をあらわすカウント出力データＤＣＲＭが得られる。カウント出力データＤＣＲＭは読出アドレス信号形成部３８に供給され、読出アドレス信号形成部３８において、データメモリ部３０に格納されたオーディオデータを構成する多数のデータセグメントのうちのステレオ右信号をあらわすものを、カウント出力データＤＣＲＭに応じて、データメモリ部３０におけるアドレス順に順次読み出すための、読出アドレス制御信号ＣＲＲＭが形成されて、それがデータメモリ部３０に供給される。
【００４７】
それにより、データメモリ部３０から、それに順次格納される各１フレーム分のオーディオデータを構成する多数のデータセグメントのうちのステレオ左信号をあらわすものが、読出アドレスについての設定が読出アドレス制御信号ＣＲＬＭに応じてなされるもとで順次読み出され、また、それに順次格納される各１フレーム分のオーディオデータを構成する多数のデータセグメントのうちのステレオ右信号をあらわすものが、読出アドレスについての設定が読出アドレス制御信号ＣＲＲＭに応じてなされるもとで順次読み出されることになる。このようにしてデータメモリ部３０から１フレーム分を単位として読み出される、ステレオ左信号とステレオ右信号との２チャンネルのオーディオ信号をあらわすオーディオデータは、それを構成するデータセグメントがデインターリーブ処理が施されて正規の配列順をもつ、デインターリーブ処理済のオーディオデータとされたもとで、１フレーム分が順次連なる処理済オーディオデータＤＱＭを形成する。そして、データメモリ部３０に読出アドレス制御信号ＣＲＬＭ及びＣＲＲＭを供給する読出アドレス信号形成部３７及び３８は、データメモリ部３０に対する読出制御部を形成しているのである。
【００４８】
上述の如くにしてデータメモリ部３０に格納されたオーディオデータが、読出制御部を形成する読出アドレス信号形成部３７及び３８によって、複数のデータセグメントについてのデインターリーブ処理が施された状態で読み出される状態におかれ、その結果、オーディオ情報データＤＡにおける主情報データである２チャンネルのオーディオ信号をあらわすオーディオデータを構成する、インターリーブ処理が施された複数のデータセグメントについてのデインターリーブ処理が遂行されることになる。
【００４９】
このようにして、主デインターリーブ処理部２７におけるデータメモリ部３０から得られるデインターリーブ処理がなされたオーディオデータである、処理済オーディオデータＤＱＭは、２チャンネルのオーディオ信号、即ち、ステレオ左信号とステレオ右信号とを適正な位相関係を有するものとしてあらわすものとされている。そして、処理済オーディオデータＤＱＭは、コンシール処理部４０に供給される。コンシール処理部４０においては、供給される処理済オーディオデータＤＱＭがそれを構成するデータセグメントについての欠落部を含んでいるとき、処理済オーディオデータＤＱＭにおけるその欠落部の直前直後において得られる２個のデータセグメントが夫々あらわす値の平均値をあらわす補間データセグメント、即ち、欠落部の前後において得られる２個のデータセグメントに基づく２値補間データセグメントが形成され、その２値補間データセグメントによって当該欠落部を埋め合わせるデータコンシール処理が行われる。そして、コンシール処理部４０から、データセグメントについての欠落部の埋合せがなされたオーディオデータＤＮＭが送出される。
【００５０】
なお、コンシール処理部４０に供給される処理済オーディオデータＤＱＭがそれを構成するデータセグメントについての欠落部を含んでいないときには、処理済オーディオデータＤＱＭがそのままオーディオデータＤＮＭとしてコンシール処理部４０から送出される。
【００５１】
コンシール処理部４０から得られるオーディオデータＤＮＭは、ＪＯＧデータ演算部４１に供給される。ＪＯＧデータ演算部４１は、データ補間処理部を形成しており、データメモリ部３０からの処理済オーディオデータＤＱＭが、ＪＯＧ再生モード状態、例えば、１／１０倍速再生モード状態がとられたもとで得られているとき、コンシール処理部４０からのオーディオデータＤＮＭにおける相互隣接する２個のデータセグメントの組毎に、各組を形成する２つのデータセグメントの間に、そのときのＪＯＧ再生モードの内容に応じた個数、例えば、１／１０倍速再生モードの場合には９個だけ、各々が２つのデータセグメントが夫々あらわす値に応じた補間値をあらわすものとして形成された補間データセグメントが、等時間間隔をもって配されることになる演算処理を行う。それにより、ＪＯＧデータ演算部４１においては、データメモリ部３０からの処理済オーディオデータＤＱＭがＪＯＧ再生モード状態がとられたもとで得られているとき、コンシール処理部４０からのオーディオデータＤＮＭに比して標本化周波数が高められたオーディオデータＤＪＭが形成される。
【００５２】
なお、データメモリ部３０からの処理済オーディオデータＤＱＭが、ＪＯＧ再生モード状態がとられたもとで得られているのではなく、ノーマル再生モード状態がとられたもとで得られている場合には、ＪＯＧデータ演算部４１は、コンシール処理部４０からのオーディオデータＤＮＭに対して別段の作用を及ぼさず、コンシール処理部４０からのオーディオデータＤＮＭがそのままオーディオデータＤＪＭとされる。
【００５３】
このようにしてＪＯＧデータ演算部４１から得られるオーディオデータＤＪＭは、ディジタル・シグナル・プロセッサ（ＤＳＰ）４２に供給されて、予め設定されたディジタル処理が施される。その結果、ＤＳＰ４２から、それに基づいてステレオ左信号とステレオ右信号との２チャンネルのオーディオ信号が適正な位相関係をもって再生されることになる出力オーディオデータＤＡＭが得られる。そして、ＤＳＰ４２から得られる出力オーディオデータＤＡＭは、スイッチ４５における選択接点４５Ａに供給される。
【００５４】
斯かるもとで、主デインターリーブ処理部２７，コンシール処理部４０，ＪＯＧデータ演算部４１及びＤＳＰ４２は、読取用回転磁気ヘッド部２１から得られるディジタル複合データＤＴに基づいて得られるオーディオ情報データＤＡにおける主情報データであるオーディオデータに、インターリーブ処理が施された複数のデータセグメントについてのデインターリーブ処理及び所定のディジタル処理を施して、ステレオ左信号とステレオ右信号との２チャンネルのオーディオ信号が適正な位相関係をもって再生されることになる出力オーディオデータＤＡＭを得る主データ処理部を形成している。
【００５５】
一方、副デインターリーブ処理部２８にあっては、エラー訂正・時間軸補正部２６から得られるオーディオ情報データＤＡが、例えば、ランダムアクセスメモリ（ＲＡＭ）により形成されるデータメモリ部５０に供給されるとともに、バイトカウント部５１，同期ブロック番号検出部５２及びトラック番号検出部５３の夫々に供給される。
【００５６】
データメモリ部５０には、動作制御部１０からのライト・イネーブル信号ＣＥＮが供給され、データメモリ部５０は、例えば、ライト・イネーブル信号ＣＥＮが低レベルをとるとき、データの書込みが可能とされ、ライト・イネーブル信号ＣＥＮが高レベルをとるときには、データの書込みが不可とされる。
【００５７】
バイトカウント部５１，同期ブロック番号検出部５２及びトラック番号検出部５３は、夫々、主デインターリーブ処理部２７におけるバイトカウント部３１，同期ブロック番号検出部３２及びトラック番号検出部３３に対応するものとされており、バイトカウント部３１，同期ブロック番号検出部３２及びトラック番号検出部３３と同様に動作して、バイトカウント出力信号ＳＢＣ，同期ブロック番号検出出力信号ＳＳＤ及びトラック番号検出出力信号ＳＤＴを送出し、それらを書込アドレス信号形成部５４に供給する。
【００５８】
書込アドレス信号形成部５４も、主デインターリーブ処理部２７における書込アドレス信号形成部３４に対応するものとされており、書込アドレス信号形成部３４と同様に動作して、書込アドレス制御信号ＣＷを形成し、その書込アドレス制御信号ＣＷをデータメモリ部５０に供給する。
【００５９】
それにより、データメモリ部５０にあっては、ライト・イネーブル信号ＣＥＮが低レベルをとるもとにおいて、エラー訂正・時間軸補正部２６から供給されるオーディオ情報データＤＡにおけるオーディオデータを構成する、１フレーム分を単位としてのインターリーブが施された複数のデータセグメントが、書込アドレス制御信号ＣＷに従った書込アドレス制御が行われて書き込まれる。その結果、オーディオ情報データＤＡにおける主情報データであるオーディオデータが、それを構成するインターリーブ処理が施された複数のデータセグメントについてのデインターリーブ処理が行われた状態とされて、データメモリ部５０に格納されることになる。
【００６０】
また、副デインターリーブ処理部２８においては、動作制御部１０からのクロック信号ＣＰがクロックカウント部５５及びクロックカウント部５６の夫々に供給される。クロックカウント部５５及びクロックカウント部５６の各々においては、夫々自由にクロック信号ＣＰについてのカウントが行われ、クロックカウント部５５からクロック信号ＣＰについてのカウント結果をあらわすカウント出力データＤＣＬＳが得られるとともに、クロックカウント部５６からクロック信号ＣＰについてのカウント結果をあらわすカウント出力データＤＣＲＳが得られる。
【００６１】
クロックカウント部５５からのカウント出力データＤＣＬＳは読出アドレス信号形成部５７に供給され、読出アドレス信号形成部５７において、データメモリ部５０に格納されたオーディオデータを構成する多数のデータセグメントのうちのステレオ左信号をあらわすものを、カウント出力データＤＣＬＳに応じて、データメモリ部５０におけるアドレス順に順次読み出すための、読出アドレス制御信号ＣＲＬＳが形成されて、それがデータメモリ部５０に供給される。
【００６２】
また、クロックカウント部５６からのカウント出力データＤＣＲＳは読出アドレス信号形成部５８に供給され、読出アドレス信号形成部５８において、データメモリ部５０に格納されたオーディオデータを構成する多数のデータセグメントのうちのステレオ右信号をあらわすものを、カウント出力データＤＣＲＳに応じて、データメモリ部５０におけるアドレス順に順次読み出すための、読出アドレス制御信号ＣＲＲＳが形成されて、それがデータメモリ部５０に供給される。
【００６３】
それにより、データメモリ部５０から、それに順次格納される各１フレーム分のオーディオデータを構成する多数のデータセグメントのうちのステレオ左信号をあらわすものが、読出アドレスについての設定が読出アドレス制御信号ＣＲＬＳに応じてなされるもとで順次読み出され、また、それに順次格納される各１フレーム分のオーディオデータを構成する多数のデータセグメントのうちのステレオ右信号をあらわすものが、読出アドレスについての設定が読出アドレス制御信号ＣＲＲＳに応じてなされるもとで順次読み出されることになる。このようにしてデータメモリ部５０から１フレーム分を単位として読み出される、ステレオ左信号とステレオ右信号との２チャンネルのオーディオ信号をあらわすオーディオデータは、それを構成するデータセグメントがデインターリーブ処理が施されて正規の配列順をもつ、デインターリーブ処理済のオーディオデータとされたもとで、１フレーム分が順次連なる処理済オーディオデータＤＱＳを形成する。
【００６４】
上述の如くにしてデータメモリ部５０に格納されたオーディオデータが、読出制御部を形成する読出アドレス信号形成部５７及び５８によって、複数のデータセグメントについてのデインターリーブ処理が施された状態で読み出される状態におかれ、その結果、オーディオ情報データＤＡにおける主情報データである２チャンネルのオーディオ信号をあらわすオーディオデータを構成する、インターリーブ処理が施された複数のデータセグメントについてのデインターリーブ処理が遂行されることになる。
【００６５】
このようにして、副デインターリーブ処理部２８におけるデータメモリ部５０から得られるデインターリーブ処理がなされたオーディオデータである、処理済オーディオデータＤＱＳは、２チャンネルのオーディオ信号、即ち、ステレオ左信号とステレオ右信号とをあらわすが、斯かるステレオ左信号及びステレオ右信号は適正な位相関係が保証されたものとはされないことになる。そして、処理済オーディオデータＤＱＳは、コンシール処理部６０に供給される。
【００６６】
コンシール処理部６０においては、供給される処理済オーディオデータＤＱＳがそれを構成するデータセグメントについての欠落部を含んでいるとき、処理済オーディオデータＤＱＳにおけるその欠落部の直前直後において得られる２個のデータセグメントが夫々あらわす値の平均値をあらわす補間データセグメント、即ち、欠落部の前後において得られる２個のデータセグメントに基づく２値補間データセグメントが形成され、その２値補間データセグメントによって当該欠落部を埋め合わせるデータコンシール処理が行われる。そして、コンシール処理部６０から、データセグメントについての欠落部の埋合せがなされたオーディオデータＤＮＳが送出される。
【００６７】
なお、コンシール処理部６０に供給される処理済オーディオデータＤＱＳがそれを構成するデータセグメントについての欠落部を含んでいないときには、処理済オーディオデータＤＱＳがそのままオーディオデータＤＮＳとしてコンシール処理部６０から送出される。
【００６８】
コンシール処理部６０から得られるオーディオデータＤＮＳは、ＪＯＧデータ演算部６１に供給される。ＪＯＧデータ演算部６１は、データ補間処理部を形成しており、データメモリ部５０からの処理済オーディオデータＤＱＳが、ＪＯＧ再生モード状態、例えば、１／１０倍速再生モード状態がとられたもとで得られているとき、コンシール処理部６０からのオーディオデータＤＮＳにおける相互隣接する２個のデータセグメントの組毎に、各組を形成する２つのデータセグメントの間に、そのときのＪＯＧ再生モードの内容に応じた個数、例えば、１／１０倍速再生動作モードの場合には９個だけ、各々が２つのデータセグメントが夫々あらわす値に応じた補間値をあらわすものとして形成された補間データセグメントが、等時間間隔をもって配されることになる演算処理を行う。それにより、ＪＯＧデータ演算部６１においては、データメモリ部５０からの処理済オーディオデータＤＱＳがＪＯＧ再生モード状態がとられたもとで得られているとき、コンシール処理部６０からのオーディオデータＤＮＳに比して標本化周波数が高められたオーディオデータＤＪＳが形成される。
【００６９】
なお、データメモリ部５０からの処理済オーディオデータＤＱＳが、ＪＯＧ再生モード状態がとられたもとで得られているのではなく、ノーマル再生モード状態がとられたもとで得られている場合には、ＪＯＧデータ演算部６１は、コンシール処理部６０からのオーディオデータＤＮＳに対して別段の作用を及ぼさず、コンシール処理部６０からのオーディオデータＤＮＳがそのままオーディオデータＤＪＳとされる。
【００７０】
このようにしてＪＯＧデータ演算部６１から得られるオーディオデータＤＪＳは、ＤＳＰ６２に供給されて、予め設定されたディジタル処理が施される。その結果、ＤＳＰ６２から、それに基づいてステレオ左信号とステレオ右信号との２チャンネルのオーディオ信号が再生されることになる出力オーディオデータＤＡＳが得られる。そして、ＤＳＰ６２から得られる出力オーディオデータＤＡＳは、スイッチ４５における選択接点４５Ｂに供給される。
【００７１】
斯かるもとで、副デインターリーブ処理部２８，コンシール処理部６０，ＪＯＧデータ演算部６１及びＤＳＰ６２は、読取用回転磁気ヘッド部２１から得られるディジタル複合データＤＴに基づいて得られるオーディオ情報データＤＡにおける主情報データであるオーディオデータに、インターリーブ処理が施された複数のデータセグメントについてのデインターリーブ処理及び所定のディジタル処理を施して、出力オーディオデータＤＡＳを得る副データ処理部を形成している。
【００７２】
スイッチ４５には、動作制御部１０からスイッチ制御信号ＣＳＷが供給される。そして、スイッチ４５は、例えば、スイッチ制御信号ＣＳＷが高レベルをとるとき、可動接点４５Ｃが選択接点４５Ａに接続され、また、スイッチ制御信号ＣＳＷが低レベルをとるとき、可動接点４５Ｃが選択接点４５Ｂに接続されるものとされ、選択接点４５Ａに供給される出力オーディオデータＤＡＭと選択接点４５Ｂに供給される出力オーディオデータＤＡＳとを可動接点４５Ｃを通じて選択的に取り出す、データ選択部を形成している。
【００７３】
動作制御部１０から送出されるスイッチ制御信号ＣＳＷは、動作制御部１０に供給される、図１に示される例により構成される要部においてとられる各再生モード状態のもとでの安定状況をあらわす状況信号ＣＳＬに応じたレベルをとるものとされ、各再生モード状態が設定されたとき、その安定化が図られるまでは低レベルをとり、各再生モード状態の安定化が図られたもとにおいて高レベルをとる。
【００７４】
斯かるもとにおいて、ディジタルＶＴＲの要部を構成する図１に示される例が、磁気テープＴＰから同一の１フレーム分のディジタル複合データＤＴが繰り返して読み取られ、それにより、磁気テープＴＰから読み取られたビデオ情報データＤＶに基づいて静止画像が再生されることになるスティル再生モード状態にあるもとで、読取用回転磁気ヘッド部２１が磁気テープＴＰからディジタル複合データＤＴを読み取るようにされるときには、動作制御部１０が、磁気テープ駆動部２０及び読取用回転磁気ヘッド部２１に、スティル再生モード用の駆動制御信号ＤＴＰ及びＤＨＤを、夫々供給する。また、それに加えて、動作制御部１０は、主デインターリーブ処理部２７におけるデータメモリ部３０及び副デインターリーブ処理部２８におけるデータメモリ部５０に、高レベルをとるライト・イネーブル信号ＣＥＮを供給して、データメモリ部３０及び５０をデータの書込みが不可とされる状態となす。
【００７５】
それにより、読取用回転磁気ヘッド部２１が、スティル再生モード状態のもとで、磁気テープＴＰからディジタル複合データＤＴを読み取るようにされるときには、主デインターリーブ処理部２７におけるデータメモリ部３０から、処理済オーディオデータＤＱＭが得られず、また、副デインターリーブ処理部２８におけるデータメモリ部５０からも、処理済オーディオデータＤＱＳが得られない。その結果、主データ処理部からの出力オーディオデータＤＡＭ及び副データ処理部からの出力オーディオデータＤＡＳのいずれもが送出されず、従って、このとき、磁気テープＴＰから読み取られたオーディオ情報データに基づく音声再生は行われない。
【００７６】
このような、ディジタルＶＴＲの要部を構成する図１に示される例がスティル再生モード状態にあるもとで、読取用回転磁気ヘッド部２１が磁気テープＴＰからディジタル複合データＤＴを読み取る動作状態から、ディジタルＶＴＲの要部を構成する図１に示される例が、スティル再生モード状態とは異なる再生モード状態、例えば、ノーマル再生モード状態にあるもとで、読取用回転磁気ヘッド部２１が磁気テープＴＰからディジタル複合データＤＴを読み取る動作状態に移行せしめられるとすると、そのときには、動作制御部１０が、磁気テープ駆動部２０及び読取用回転磁気ヘッド部２１に、ノーマル再生モード用の駆動制御信号ＤＴＰ及びＤＨＤを、夫々供給する。それにより、磁気テープ駆動部２０により駆動される磁気テープＴＰの走行速度が、記録時における走行速度と等しくされる。
【００７７】
また、それに加えて、動作制御部１０は、読取用回転磁気ヘッド部２１が、スティル再生モード状態のもとで、磁気テープＴＰからディジタル複合データＤＴを読み取る動作状態から、読取用回転磁気ヘッド部２１が、スティル再生モード状態とは異なる再生モード状態、例えば、ノーマル再生モード状態のもとで、磁気テープＴＰからディジタル複合データＤＴを読み取る動作状態への移行がなされると、先ず、主データ処理部から出力オーディオデータＤＡＭが得られず、副データ処理部から出力オーディオデータＤＡＳが得られるようにするとともに、スイッチ４５により、副データ処理部からの出力オーディオデータＤＡＳが取り出されるようにすべく動作する。
【００７８】
そのため、動作制御部１０は、主デインターリーブ処理部２７におけるデータメモリ部３０及び副デインターリーブ処理部２８におけるデータメモリ部５０に、低レベルをとるライト・イネーブル信号ＣＥＮを供給して、データメモリ部３０及び５０をデータの書込みが可能な状態となすとともに、主デインターリーブ処理部２７におけるクロックカウント部３５及び３６及び副デインターリーブ処理部２８におけるクロックカウント部５５及び５６の夫々に、クロック信号ＣＰを供給する。しかしながら、斯かるもとでは、エラー訂正・時間軸補正部２６から得られるオーディオ情報データＤＡにおけるオーディオデータがあらわす２チャンネルのオーディオ信号、即ち、ステレオ左信号とステレオ右信号との適正な位相を保証できる状態に至っていないので、動作制御部１０は、オーディオ情報データＤＡにおけるオーディオデータがあらわす２チャンネルのオーディオ信号、即ち、ステレオ左信号とステレオ右信号との適正な位相を保証するものとされる第１のフレームパルス信号ＣＦＰＬ及び第２のフレームパルス信号ＣＦＰＲは送出しない。
【００７９】
さらに、このとき、動作制御部１０に供給される状況信号ＣＳＬが、移行後のスティル再生モード状態とは異なる再生モード状態、例えば、ノーマル再生モード状態が安定化された状況に至っていないことをあらわしており、それにより、動作制御部１０は、低レベルをとるスイッチ制御信号ＣＳＷをスイッチ４５に供給する。
【００８０】
このようなもとでは、主デインターリーブ処理部２７において、クロックカウント部３５及び３６に第１及び第２のフレームパルス信号ＣＦＰＬ及びＣＦＰＲが供給されないことにより、クロックカウント部３５及び３６の夫々におけるクロック信号ＣＰについてのカウントが行われず、従って、読出アドレス信号形成部３７及び３８から読出アドレス制御信号ＣＲＬＭ及びＣＲＲＭが得られない。それにより、データメモリ部３０からのオーディオデータを構成する多数のデータセグメントの読出しが行われず、処理済オーディオデータＤＱＭが形成されない。その結果、主データ処理部におけるＤＳＰ４２は、出力オーディオデータＤＡＭが得られない状態におかれる。
【００８１】
これに対して、副デインターリーブ処理部２８においては、クロックカウント部５５及び５６の各々が、夫々自由に、動作制御部１０から供給されるクロック信号ＣＰについてのカウントを行い、それに伴って、読出アドレス信号形成部５７及び５８から読出アドレス制御信号ＣＲＬＳ及びＣＲＲＳが得られる。それにより、データメモリ部５０から各１フレーム分のオーディオデータを構成する多数のデータセグメントが、読出アドレス制御信号ＣＲＬＳ及びＣＲＲＳに応じて順次読み出されて、処理済オーディオデータＤＱＳが形成される。その結果、副データ処理部におけるＤＳＰ６２から出力オーディオデータＤＡＳが得られて、スイッチ４５の選択接点４５Ｂに供給される。
【００８２】
このとき、スイッチ４５は、動作制御部１０から低レベルをとるスイッチ制御信号ＣＳＷが供給されていて、可動接点４５Ｃが選択接点４５Ｂに接続される状態におかれている。それにより、副データ処理部におけるＤＳＰ６２から得られる出力オーディオデータＤＡＳが、スイッチ４５の選択接点４５Ｂ及び可動接点４５Ｃを通じて取り出される。そして、このようにしてスイッチ４５により取り出される出力オーディオデータＤＡＳに基づく再生オーディオ信号が形成されて、音声再生に供される。
【００８３】
斯かるもとにあっては、副デインターリーブ処理部２８におけるデータメモリ部５０から得られる処理済オーディオデータＤＱＳが、２チャンネルのオーディオ信号、即ち、ステレオ左信号とステレオ右信号とを、適正な位相関係が保証されたものとはされない状態をもってあらわすものとされているので、副データ処理部におけるＤＳＰ６２から得られる出力オーディオデータＤＡＳが、それに基づいて、ステレオ左信号とステレオ右信号との２チャンネルのオーディオ信号の夫々が適正な位相関係をもって再生されることになるものとはされない。従って、スイッチ４５により取り出される出力オーディオデータＤＡＳに基づく２チャンネルの再生オーディオ信号が形成されて再生される音声は、左右音が適正な位相関係にないことになる虞がある。
【００８４】
その後、動作制御部１０に供給される状況信号ＣＳＬが、移行後のスティル再生モード状態とは異なる再生モード状態、例えば、ノーマル再生モード状態が安定化された状況に至ったことをあらわすものとされ、エラー訂正・時間軸補正部２６から得られるオーディオ情報データＤＡにおけるオーディオデータがあらわす２チャンネルのオーディオ信号、即ち、ステレオ左信号とステレオ右信号との適正な位相を保証できる状態に至ると、動作制御部１０は、副データ処理部から出力オーディオデータＤＡＳが得られるとともに、主データ処理部からも出力オーディオデータＤＡＭが得られるようにするとともに、スイッチ４５により、主データ処理部からの出力オーディオデータＤＡＭが取り出されるようにすべく動作する。
【００８５】
そのため、動作制御部１０は、主デインターリーブ処理部２７におけるデータメモリ部３０及び副デインターリーブ処理部２８におけるデータメモリ部５０に、低レベルをとるライト・イネーブル信号ＣＥＮを供給して、データメモリ部３０及び５０をデータの書込みが可能な状態となすとともに、主デインターリーブ処理部２７におけるクロックカウント部３５及び３６及び副デインターリーブ処理部２８におけるクロックカウント部５５及び５６の夫々に、クロック信号ＣＰを供給し、それに加えて、主デインターリーブ処理部２７におけるクロックカウント部３５及び３６に、第１のフレームパルス信号ＣＦＰＬ及び第２のフレームパルス信号ＣＦＰＲを夫々供給する。さらに、このとき、動作制御部１０は、高レベルをとるスイッチ制御信号ＣＳＷをスイッチ４５に供給する。
【００８６】
このようなもとで、主デインターリーブ処理部２７においては、クロックカウント部３５による第１のフレームパルス信号ＣＦＰＬに同期したクロック信号ＣＰについてのカウントが行われるとともに、クロックカウント部３６による第２のフレームパルス信号ＣＦＰＲに同期したクロック信号ＣＰについてのカウントが行われ、それに伴って、読出アドレス信号形成部３７及び３８から読出アドレス制御信号ＣＲＬＭ及びＣＲＲＭが夫々得られる。それにより、データメモリ部３０から、各１フレーム分のオーディオデータを構成する多数のデータセグメントが、読出アドレス制御信号ＣＲＬＭ及びＣＲＲＭに応じて順次読み出されて、２チャンネルのオーディオ信号、即ち、ステレオ左信号とステレオ右信号とを適正な位相関係を有するものとしてあらわすものとされた処理済オーディオデータＤＱＭが形成される。その結果、主データ処理部におけるＤＳＰ４２から、それに基づいてステレオ左信号とステレオ右信号との２チャンネルのオーディオ信号の夫々が適正な位相関係をもって再生されることになる出力オーディオデータＤＡＭが得られて、スイッチ４５の選択接点４５Ａに供給される。
【００８７】
また、副デインターリーブ処理部２８においては、引き続き、クロックカウント部５５及び５６の各々が、夫々自由に、動作制御部１０から供給されるクロック信号ＣＰについてのカウントを行い、それに伴って、読出アドレス信号形成部５７及び５８から読出アドレス制御信号ＣＲＬＳ及びＣＲＲＳが得られる。それにより、データメモリ部５０から各１フレーム分のオーディオデータを構成する多数のデータセグメントが、読出アドレス制御信号ＣＲＬＳ及びＣＲＲＳに応じて順次読み出されて、処理済オーディオデータＤＱＳが形成され、その結果、副データ処理部におけるＤＳＰ６２から出力オーディオデータＤＡＳが得られて、スイッチ４５の選択接点４５Ｂに供給される。
【００８８】
このとき、スイッチ４５は、動作制御部１０から高レベルをとるスイッチ制御信号ＣＳＷが供給されていて、可動接点４５Ｃが選択接点４５Ａに接続される状態におかれている。それにより、主データ処理部におけるＤＳＰ４２から得られる出力オーディオデータＤＡＭが、スイッチ４５の選択接点４５Ａ及び可動接点４５Ｃを通じて取り出される。そして、このようにしてスイッチ４５により取り出される出力オーディオデータＤＡＭに基づく再生オーディオ信号が形成されて、音声再生に供される。
【００８９】
斯かるもとにあっては、主デインターリーブ処理部２７におけるデータメモリ部３０から得られる処理済オーディオデータＤＱＭが、２チャンネルのオーディオ信号、即ち、ステレオ左信号とステレオ右信号とを適正な位相関係をもってあらわすものとされ、主データ処理部におけるＤＳＰ４２から得られる出力オーディオデータＤＡＭが、それに基づいて、ステレオ左信号とステレオ右信号との２チャンネルのオーディオ信号の夫々が適正な位相関係をもって再生されることになるものとされている。従って、スイッチ４５により取り出される出力オーディオデータＤＡＭに基づく２チャンネルの再生オーディオ信号が形成されて再生される音声は、左右音が適正な位相関係にあることになる。
【００９０】
上述の如くにして、ディジタルＶＴＲの要部を構成する図１に示される例によれば、スティル再生モード状態のもとで読取用回転磁気ヘッド部２１による磁気テープＴＰからのディジタル複合データＤＴの読出しが行われ、主デインターリーブ処理部２７を含む主データ処理部及び副デインターリーブ処理部２８を含む副データ処理部が正規に作動していない状態から、スティル再生モード状態とは異なる再生モード状態、例えば、ノーマル再生モード状態のもとで読取用回転磁気ヘッド部２１による磁気テープＴＰからのディジタル複合データＤＴの読出しが行われて、主デインターリーブ処理部２７を含む主データ処理部及び副デインターリーブ処理部２８を含む副データ処理部が正規に作動する状態に移行する場合においても、移行後、主データ処理部からの、ステレオ左信号とステレオ右信号との２チャンネルのオーディオ信号の夫々が適正な位相関係をもって再生されることになる出力オーディオデータＤＡＭが得られるまでの間、副データ処理部からの出力オーディオデータＤＡＳが得られることになり、それゆえ、出力オーディオデータもしくはそれに基づく２チャンネルの再生オーディオ信号に対するミューティング状態がとられることなく、直ちに、デインターリーブ処理が施されたオーディオデータに基づくステレオ左信号とステレオ右信号との２チャンネルのオーディオ信号をあらわす出力オーディオデータが得られることになる。
【００９１】
また、上述の例においては、主デインターリーブ処理部２７を含む主データ処理部，副デインターリーブ処理部２８を含む副データ処理部、さらには、スイッチ４５において扱われるディジタルデータが、ディジタルＶＴＲにおいて得られれるオーディオ情報データに含まれるオーディオデータとされているが、本願の特許請求の範囲における請求項１または請求項２に記載された発明に係る情報処理装置は、扱われるディジタルデータにその情報内容についての制限を課するものではなく、オーディオデータ以外の各種のディジタルデータを扱うことができる。
【００９２】
【発明の効果】
以上の説明から明らかな如く、本願の特許請求の範囲における請求項１または請求項２に記載された発明に係る情報処理装置によれば、例えば、第１及び第２のデータ処理部が正規に作動していない状態から、特定の再生モード状態のもとでヘッド部による記録媒体からのディジタル情報データの読出しが行われ、第１及び第２のデータ処理部が正規に作動する状態に移行する場合においても、移行後、第１のデータ処理部からの複数チャンネルの情報信号の夫々が適正な位相関係をもって再生されることになる第１の出力情報データが得られるまでの間、第２のデータ処理部からの第２の出力情報データが得られることになり、それゆえ、出力情報データもしくはそれに基づく再生情報信号に対するミューティング状態がとられることなく、直ちに、デインターリーブ処理が施された情報データに基づく複数チャンネルの情報信号をあらわす出力情報データが得られることになる。
【００９３】
また、本願の特許請求の範囲における請求項３または請求項４に記載された発明に係る情報処理装置によれば、例えば、スティル再生モード状態のもとでヘッド部による記録媒体からのビデオ情報データ及びオーディオ情報データの読出しが行われ、第１及び第２のデータ処理部が正規に作動していない状態から、スティル再生モード状態とは異なる再生モード状態、例えば、ノーマル再生モード状態もしくはＪＯＧ再生モード状態のもとでヘッド部による記録媒体からのビデオ情報データ及びオーディオ情報データの読出しが行われて、第１及び第２のデータ処理部が正規に作動する状態に移行する場合においても、移行後、第１のデータ処理部からの複数チャンネルのオーディオ信号の夫々が適正な位相関係をもって再生されることになる第１の出力オーディオデータが得られるまでの間、第２のデータ処理部からの第２の出力オーディオデータが得られることになり、それゆえ、出力オーディオデータもしくはそれに基づく複数チャンネルの再生オーディオ信号に対するミューティング状態がとられることなく、直ちに、デインターリーブ処理が施されたオーディオデータに基づく複数チャンネルのオーディオ信号をあらわす出力オーディオデータが得られることになる。
【図面の簡単な説明】
【図１】  本願の特許請求の範囲における請求項１から請求項４までのいずれかに記載された発明に係る情報処理装置の一例をディジタルＶＴＲの要部を構成する状態をもって示すブロック接続図である。
【図２】  図１に示される例に備えられた磁気ヘッドによる磁気テープに形成された傾斜記録トラックの走査についての説明に供される概念図である。
【図３】  ディジタルＶＴＲと共に使用される磁気テープの記録フォーマットの例を示す概念図である。
【図４】  ディジタルＶＴＲにより磁気テープに記録されるオーディオ情報データのコーディング・フォーマットの例を示す概念図である。
【図５】  ディジタルＶＴＲにより磁気テープに記録されるオーディオデータのデータフォーマットの例を示す概念図である。
【符号の説明】
１０・・・動作制御部，  ２０・・・磁気テープ駆動部，  ２１・・・読取用回転磁気ヘッド部，  ２２・・・再生増幅部，  ２３・・・イコライザ部，  ２４・・・データ並換部，  ２５・・・コーディング部，  ２６・・・エラー訂正・時間軸補正部，  ２７・・・主デインターリーブ処理部，  ２８・・・副デインターリーブ処理部，  ３０，５０・・・データメモリ部，  ３１，５１・・・バイトカウント部，  ３２，５２・・・同期ブロック番号検出部，  ３３，５３・・・トラック番号検出部，  ３４，５４・・・書込アドレス信号形成部，  ３５，３６，５５，５６・・・クロックカウント部，  ３７，３８，５７，５８・・・読出アドレス信号形成部，  ４０，６０・・・コンシール処理部，  ４１，６１・・・ＪＯＧデータ演算部，  ４２，６２・・・ＤＳＰ，  ４５・・・スイッチ
【図１】
0004019532.tif 000002
【図２】
0004019532.tif 000003
【図３】
0004019532.tif 000004
【図４】
0004019532.tif 000005
【図５】
0004019532.tif 000006